(57)【要約】【課題】不快な音を発生させることがないパイプシャッターの上部ガイドを提供する。【解決手段】上部ガイド７は、ガイドレール４の一対の側辺４０の上端から上方に向かって拡開状に立ち上がる一対のガイド片７０を備えており、前記一対のガイド片７０の少なくとも巻取シャフト５に近い側のガイド片７０はガイドレール側辺４０に比べて細幅に形成されており、当該細幅のガイド片７０のガイドレール底部側には端リンク３０に対応して空間部Ｓが形成されており、シャッターカーテン昇降時には、パイプ２のみが細幅のガイド片７０に接触案内される。【選択図】図４
2008274597.tif 000002
【特許請求の範囲】
【請求項１】
巻取シャフトに巻取可能なシャッターカーテンの両端部を案内するガイドレールの上端に設けた上部ガイドにおいて、
前記シャッターカーテンは、上下に並列した複数のパイプを、長さ方向に適宜間隔を存して複数のリンクで連結してなり、かつ、前記複数のパイプの長さ方向両端部は端リンクで連結されており、
前記上部ガイドは、ガイドレールの一対の側辺の上端から上方に向かって拡開状に立ち上がる一対のガイド片を備えており、前記一対のガイド片の少なくとも巻取シャフトに近い側のガイド片はガイドレール側辺に比べて細幅に形成されており、当該細幅のガイド片のガイドレール底部側には空間部が形成されており、シャッターカーテン昇降時には、パイプのみが当該細幅のガイド片に接触案内される、
パイプシャッターの上部ガイド。
【請求項２】
前記空間部の幅は、シャッターカーテン昇降時にシャッターカーテンが幅方向に寄った場合であっても、前記端リンクが前記細幅のガイド片に接触しないような幅に形成されている、請求項１に記載の上部ガイド。
【発明の詳細な説明】
【技術分野】
【０００１】
本発明は、パイプシャッターの上部ガイドに関するものである。
【背景技術】
【０００２】
上下に並列した複数のパイプを、長さ方向に適宜間隔を存して複数のリンクで連結してなる格子状のシャッターカーテンで開口部を開閉するパイプシャッターが知られている。このようなパイプシャッターのシャッターカーテンにおいて、シャッターカーテンに強度を持たせるために、パイプの長さ方向両端部を端リンクで連結する場合がある（特許文献１参照）。
【０００３】
図７は、シャッターカーテン端部とガイドレール上端の上部ガイドとの関係を示す図である。ガイドレール４の上端には、ガイドレールの側辺４０の上端から上方に向かって拡開状に立ち上がる一対のガイド片７００を備えた上部ガイドが設けてあり、ガイド片７００は、ガイドレール４の側辺４０と略同幅を備えている。
【０００４】
開口部開閉時に、シャッターカーテン端部がこのような上部ガイドに案内されると、パイプ２がガイド片７００に案内されるのみならず、端リンク３０がガイド片７００に接触し、金属同士が擦れる不快音を生じさせてしまう。
【特許文献１】特開平７−３２４５７０号
【発明の開示】
【発明が解決しようとする課題】
【０００５】
本発明は、不快な音を発生させることがないパイプシャッターの上部ガイドを提供することを目的とする。
【課題を解決するための手段】
【０００６】
かかる課題を達成するために本発明が採用した技術手段は、巻取シャフトに巻取可能なシャッターカーテンの両端部を案内するガイドレールの上端に設けた上部ガイドにおいて、前記シャッターカーテンは、上下に並列した複数のパイプを、長さ方向に適宜間隔を存して複数のリンクで連結してなり、かつ、前記複数のパイプの長さ方向両端部は端リンクで連結されており、前記上部ガイドは、ガイドレールの一対の側辺の上端から上方に向かって拡開状に立ち上がる一対のガイド片を備えており、前記一対のガイド片の少なくとも巻取シャフトに近い側のガイド片はガイドレール側辺に比べて細幅に形成されており、当該細幅のガイド片のガイドレール底部側には前記端リンクに対応して空間部が形成されており、シャッターカーテン昇降時には、パイプのみが当該細幅のガイド片に接触案内される、パイプシャッターの上部ガイド、である。
【０００７】
一つの態様では、上部ガイドは、巻取シャフトの両端を支持するブラケットに固定される。この場合、前記ガイドレール底部側とは、ブラケット側を意味する。
【０００８】
一つの態様では、前記一対のガイド片の両片（巻取シャフトに近い側のガイド片及び巻取シャフトから遠い側のガイド片）はガイドレール側辺に比べて細幅に形成されており、細幅のガイド片のガイドレール底部側には前記端リンクに対応して空間部が形成されている。
【０００９】
一つの態様では、前記空間部の幅は、シャッターカーテン昇降時にシャッターカーテンが幅方向に寄った場合であっても、端リンクが細幅のガイド片に接触しないような幅に形成されている。
【発明の効果】
【００１０】
本発明では、上部ガイドのガイド片を細幅に形成し、ガイド片のガイドレール底部側に端リンクに対応するように空間部を形成したので、シャッターカーテン昇降時には、パイプのみが細幅のガイド片に接触案内され、端リンクは空間部において傾斜可能であり、端リンクがガイド片に接触して不快音を発生させることがない。請求項２に記載した発明では、開口部開閉時に、シャッターカーテンが幅方向に寄った場合であっても、端リンクがガイド片に接触して不快音を発生させることがない。
【発明を実施するための最良の形態】
【００１１】
本発明の実施の形態を図面に基づいて説明する。図１は、パイプシャッター装置の正面図、図２は、パイプシャッターのシャッターカーテンの正面図及び側面図（巻取シャフトを示す）である。シャッターカーテン１は、水平方向に延出する多数のパイプ２をリンク３で格子状に連結してなる格子状部１Ａからなる。より具体的には、シャッターカーテン１は、上下に並列した複数のパイプ２を、長さ方向に適宜間隔を存して複数のリンク３で連結してなる格子状部１Ａを主要部とし、格子状部１Ａの上側には、連結部１ａを介してスラット１ｂが連結されており、さらにスラット１ｂの上端には吊元１ｃが設けてあり、格子状部１Ａの下側には、連結部１ｄを介して座板１ｅが連結されている。
【００１２】
パイプシャッター装置は、さらに、シャッターカーテン１の幅方向両端部に位置して立設され、シャッターカーテン１の両端部を昇降案内するガイドレール４と、シャッターカーテン１の上端（吊元１ｃ）が連結された巻取シャフト５と、巻取シャフト５を内装するシャッターケース６と、を備えている。巻取シャフト５の回転によりシャッターカーテン１が巻取シャフト５に巻き取られることでシャッターカーテン１がガイドレール４に沿って上昇して開口部が開放され、巻取シャフト５から繰り出されることでシャッターカーテン１がガイドレール４に沿って下降して開口部が閉鎖される。尚、図１では連装のパイプシャッター装置が例示されている。
【００１３】
上述のとおり、シャッターカーテン１の格子状部１Ａは、上下に並列した複数のパイプ２を、長さ方向に適宜間隔を存して複数個所で複数のリンク３によって上下方向に適宜間隔を存して連結することで構成されている。図２、図３に示すように、パイプ２の長さ方向両端部は、端リンク３０によって上下方向に連結されている。したがって、端リンク３０は、シャッターカーテン１の幅方向両端部に位置しており、すなわち、端リンク３０はガイドレール４内に位置している。
【００１４】
リンク３、端リンク３０は、上下端縁が湾曲状に形成され、上下方向（シャッターカーテン１の高さ方向）に延出する略長方形状のプレートであり、リンク３、端リンク３０の上下部位にはパイプ２を挿通させる挿通孔（上下の挿通孔間の距離がパイプ２の上下方向の間隔を決定している）が形成されている。リンク３や端リンク３０の詳細な構成、パイプ２とリンク３、あるいは、パイプ２と端リンク３０との具体的な結合方法については、いわゆる格子状のパイプシャッターカーテン１を形成できるものであれば限定さるものではく、様々な方法を採用することができる。一例を挙げると、特開平７−３２４５６９号、特開平７−３２４５７０号、特開平７−３２４５７１号に記載された構成及び結合方法が採用され得る。また、図示の例では、端リンク３０は、パイプ２の長さ方向の端部に嵌入される樹脂製キャップ３０Ａを用いて取り付けられており、シャッターカーテン１が幅方向左右に寄った時に、樹脂製キャップ３０Ａが緩衝部材としてブラケット８と接触する（図６下図参照）ようになっている。
【００１５】
ガイドレール４の基本的な構成は当業者において周知であって、対向状の一対の側辺４０（一方のみが図示されている）と、一対の側辺４０の基端側を連結する底辺と、を備えており、一対の側辺４０間には、先端側（底辺から離間する側）に位置して、シャッターカーテン１の端部を受け入れる溝部が形成されている。また、ガイドレール４の上端は開口状となっている。
【００１６】
ガイドレール４の上端には、上部ガイド７が設けてある。図５に示すように、上部ガイド７は上端、下端共に開口状となっており、上部ガイド７を通ってシャッターカーテン１端部が、上端開口Ａ１、下端開口Ａ２から、上下方向に通過可能となっている。上部ガイド７は、上部ガイド７の下端の開口Ａ２がガイドレール４の上端の開口に連通するように、ガイドレール４の上端に位置させて、巻取シャフト５の両端を軸支するブラケット８に固定（螺子止め、溶接等の手段によって）されている。
【００１７】
図５に示すように、上部ガイド７は、ガイドレール４の対向状の側辺４０の上端から上方に向かって拡開状に延出する、立ち上がり状の一対のガイド片７０を備えている。対向状の一対のガイド片７０間に形成される空間にシャッターカーテン１の端部が受け入れられる。ガイド片７０は、ガイドレール４の側辺４０に比べて細幅に形成された細幅片であり、ガイド片７０のガイドレール底部側（ブラケット８側）は、端リンク３０に対応するように切り欠かれており、端リンク３０の揺動・傾斜を許容する空間部Sが形成されている。したがって、パイプ２のみが、細幅片であるガイド片７０に接触案内され、端リンク３０がガイド片７０に接触しないようになっている。一対のガイド片７０は、上方に向かって互いに離間するように湾曲状に延出しており、円滑にパイプ２を案内するようになっている。
【００１８】
さらに、ガイド片７０のパイプ２との接触面には、消音部材としての、消音ベルト７３が設けてあり、ガイド片７０とパイプ２との金属接触音の発生を防止している。消音ベルト７３は、ガイド片７０を構成する金属に比べて軟質な部材から適宜選択され、繊維製あるいは樹脂製の消音ベルトが例示される。また、消音部材は消音ベルトに限定されるものではなく、ガイド片７０のパイプ２との接触面に消音部材としての樹脂をコーティングするようなものでもよい。
【００１９】
上部ガイド７は、さらに、ブラケット８に対する装着片を構成する垂直片７１と、ガイド片７０の下端が連結されており、ガイドレール４の上端を受け入れる基部７２を備えている。図示の例では、基部７２は一対のL形状の板片から構成されている。基部７２に形成された開口Ａ２は、ガイドレール４の上端の開口に連通しており、かつ、ガイドレール４の上端の開口の断面形状と略同じ断面形状を有しており、上部ガイド７とガイドレール４との間のシャッターカーテン１の端部の受け渡しを良好に行えるようになっている。
【００２０】
本発明に係る上部ガイド７の作用を図４に基づいて説明する。図４は、開口部全閉状態にあるシャッターカーテン１の上方部位を示しており、シャッターカーテン１の格子状部１Ａの上端部の端リンク３０は、巻取シャフト５と上部ガイド７との間に位置して、角度を持って傾斜している。シャッターカーテン１を構成するパイプ２が巻取シャフト５に近い側のガイド片７０（消音ベルト７３）に接触している一方、当該パイプ２を連結する端リンク３０は空間部Sにおいて角度を持って傾斜しており、端リンク３０がガイド片７０に接触することがない。図４の状態から巻取シャフト５を回転させてシャッターカーテン１を巻き取って行くと、パイプ２、端リンク３０が、上部ガイド７に案内されながら、上昇していくが、パイプ２のみがガイド片７０（消音ベルト７３）に接触案内され、端リンク３０は空間部Ｓに位置して揺動・傾斜するのみで、端リンク３０がガイド片７０に接触することがなく、不快音を発生させることがない。
【００２１】
図４において、２点鎖線はシャッターカーテン１の最大巻径を示している。シャッターカーテン１が巻き取られていき、開口部全開状態に近づくと、シャッターカーテン１が最大巻径に近づき、パイプ２及び端リンク３０の巻き取り位置は、ガイドレール４の芯に対して巻取シャフト５と反対側に位置する。この状態では、パイプ２は巻取シャフト５から遠い側のガイド片７０（消音ベルト７３）に接触して案内されるが、当該パイプ２を連結する端リンク３０は空間部Sにおいて角度を持って傾斜可能であるため、端リンク３０がガイド片７０に接触することはなく、不快音を発生させることがない。また、両方のガイド片７０が細幅状に形成され、ガイド片７０のガイドレール底部側に空間部Sを形成することで、同じ形状の上部ガイド７を、開口部左右の上部ガイド７に兼用することができる。尚、図４に基づいて開口部全閉状態のシャッターカーテン１の上昇時の上部ガイド７の作用について説明したが、開口部全開状態のシャッターカーテン１の下降時にも上部ガイド７が同様に作用することは、当業者に容易に理解され得る。
【００２２】
図６は、上部ガイド７の空間部Sと端リンク３０との位置関係を説明する図である。上図は、シャッターカーテン１が幅方向左右均等にガイドレール４に受け入れられている状態を示し、下図は、上図の状態からシャッターカーテン１が右側に最大寄った状態を示す。図６から明らかなように、空間部Ｓの幅寸法は、開口部開閉時にシャッターカーテン１が幅方向に寄った場合であっても、端リンク３０がガイド片７０に接触して不快音を発生させないような寸法に形成されている。
【００２３】
図１に示すように、開口部上方において、シャッターカーテン１の幅方向の略中央部位に位置してローラ体９が設けてある。シャッターカーテン１の昇降時に、ローラ体９がシャッターカーテン１の幅方向略中央部位に位置するリンク３に当接して案内することで、パイプ２の端部が上部ガイド７の上端の開口Ａ１の外側に落ち込んでしまうことを防止している。
【産業上の利用可能性】
【００２４】
本発明は、パイプシャッターの上部ガイドに利用することができる。
【図面の簡単な説明】
【００２５】
【図１】パイプシャッター装置の正面図である。
【図２】パイプシャッターのシャッターカーテンの正面図及び側面図（巻取シャフトを示す）である。
【図３】図２の部分拡大図である。
【図４】本発明に係る上部ガイドを説明する図である。
【図５】上部ガイドを示す図である。
【図６】上部ガイドの空間部と端リンクとの位置関係を説明する図である。
【図７】従来の上部ガイドと端リンクとの位置関係を示す図である。
【符号の説明】
【００２６】
１  シャッターカーテン
２  パイプ
３  リンク
３０  端リンク
４  ガイドレール
４０  ガイドレール側辺
５  巻取シャフト
７  上部ガイド
７０  ガイド片
Ｓ  空間部
【図１】
2008274597.tif 000003
【図２】
2008274597.tif 000004
【図３】
2008274597.tif 000005
【図４】
2008274597.tif 000006
【図５】
2008274597.tif 000007
【図６】
2008274597.tif 000008
【図７】
2008274597.tif 000009